(57)【特許請求の範囲】
【請求項１】
管体の各対向端部に接続可能な、内周面の一部が球面状をなす１対のケースと、各ケース内に水密性を保持して嵌合され、かつケースの内面と接触しながら摺動しうる１対の球面リングと、各球面リングの外周面に沿って移動しうるように前記各ケースの先端開口部に止着された押輪と、前記両球面リング内に水密性を保持して嵌合され、かつ中間部と両端部外周面とに設けたストッパ間の領域に亘って管軸方向に相対的に摺動しうる連結管とを備える伸縮可撓管継手において、
前記各球面リングにおける互いに対向する開口端部に、前記各押輪の先端開口面と連結管における中間部のストッパが当接可能な係止突部を設けたことを特徴とする伸縮可撓管継手。
【請求項２】
係止突部における中間部のストッパと球面リングとの当接面を、それぞれ垂直ストッパ面と球面リングの回動中心方向を向く傾斜ストッパ面とし、中間部のストッパ及び球面リングと面当りするようにした請求項１に記載の伸縮可撓管継手。
【発明の詳細な説明】
【０００１】
【発明の属する技術分野】
本発明は、水道管等の管体を伸縮可撓自在に接続して、埋設地盤の変動に対処しうるようにした伸縮可撓管継手に関する。
【０００２】
【従来の技術】
この種の従来の管継手としては、例えば実開昭５７−１８９号公報に開示されているものがある。
【０００３】
この従来のものは、図４に示すように、管体ａ、ｂの各端部に結合され、かつ先端部内周面に凹状球面部ｃを有する大径のケースｄ、ｄと、外周面の球状面を凹状球面部ｃに密接するようにして、各継手管ｄの先端部内に摺動自在に嵌合された球面リングｅと、各球面リングｅ内に管軸方向に摺動可能として嵌合された連結管ｆと、ケースｄの先端部と球面リングｅとの間に介装されたパッキンｇを押圧するようにして、ケースｄの先端部外周面に止着され、かつ内面に形成した凹状球面部を球面リングｅの先端部外周面に摺動自在に密着させた押輪ｈとからなっている。
【０００４】
連結管ｆは、その両端部外周面に嵌着されたストッパリングｉが、球面リングｅの両端部内面に突設した内向突起ｊに係止することにより、抜け止めが図られている。
【０００５】
【発明が解決しようとする課題】
上述した従来の管継手では、図示のように、両管体ａ、ｂが継手部において最大限に変位した際、各押輪ｈの先端部内面が連結管ｆの上面と下面に直に強く圧接するようになる。この状態で両管体ａ、ｂに管軸方向に伸縮荷重が作用すると、押輪ｈと連結管ｆとの接触部の摩擦抵抗により、それらが相対的に円滑に摺動し得なくなり、伸縮継手としての機能が損われる恐れがある。
【０００６】
本発明は、上記問題点を解決するためになされたもので、押輪が連結管と強く圧接するのを防止することにより、伸縮性を向上させうるようにした伸縮可撓管継手を提供することを目的としている。
【０００７】
【課題を解決するための手段】
上記目的を達成するために、本発明の管継手は、管体の各対向端部に接続可能な、内周面の一部が球面状をなす１対のケースと、各ケース内に水密性を保持して嵌合され、かつケースの内面と接触しながら摺動しうる１対の球面リングと、各球面リングの外周面に沿って移動しうるように前記各ケースの先端開口部に止着された押輪と、前記両球面リング内に水密性を保持して嵌合され、かつ中間部と両端部外周面とに設けたストッパ間の領域に亘って管軸方向に相対的に摺動しうる連結管とを備える伸縮可撓管継手において、
前記各球面リングにおける互いに対向する開口端部に、前記各押輪の先端開口面と連結管における中間部のストッパが当接可能な係止突部を設けたことを特徴としている。
【０００８】
上記係止突部における中間部のストッパと球面リングとの当接面を、それぞれ垂直ストッパ面と球面リングの回動中心方向を向く傾斜ストッパ面とし、中間部のストッパ及び球面リングと面当りするようにするのが好ましい。
【０００９】
本発明によると、各ケースに接続された管体のいずれか一方が上下方向に変位し、各球面リングに嵌合された連結管が最大限揺動した際、押輪の先端開口面が球面リングの開口端部に設けた係止突部と当接するので、押輪と連結管とが強く圧接するのが防止される。従って、連結管の伸縮性が損われることはない。
【００１０】
【発明の実施の形態】
以下、本発明の実施例を図面に基づいて説明する。図１において、１、１は、フランジ部１ａを介して水道管等（図示略）の各端部に接続される１対のケースで、その内外周面は球面状を呈している。
【００１１】
各ケース１内には、外周面がケース１の内周面とほぼ同じ曲率の球面状をなしている球面リング２が、ケース１の先端部内面の凹溝に挿入した環状パッキン３を介して、面接触しながら摺動しうるように嵌合されている。環状パッキン３は、球面リング２の外周面との間に若干の隙間が形成されるようにして、ケース１の先端部外周面の複数の突部４間に止着された押輪５により押圧されている。
【００１２】
各球面リング２内には、連結管６が球面リング２の先端部内面の凹溝に挿入された環状パッキン７を介して摺動自在に嵌合されている。
【００１３】
連結管６の中央部外周面には、両側面を垂直な当り面とした環状のストッパ８が突設されている。ここで実施例ではストッパ８が連結管６の中央に設けられているが、連結管８が長い場合は２個のストッパ８が設けられていることがある。この場合は中央を挟んで両側部となるが、発明の説明ではこれらの両場合を含めて中間部のストッパとして表現されている。また両端部外周面にはストッパリング９が複数のボルト１０により固着され、連結管６は、ストッパリング９が球面リング２の内面の内向環状突部１１に当接することにより、その抜け止めが図られるとともに、最大伸長量が規制されるようになっている。
【００１４】
各球面リング２の対向端部には、連結管６と直交する垂直ストッパ面１２と、球面リング２の回動中心ｏ（図２参照）方向を向く傾斜ストッパ面１３とを有する環状の係止突部１４が外向きに連設されている。
【００１５】
垂直ストッパ面１２が、連結管６のストッパ８と当接することにより、最大縮み量が規制される。すなわち、連結管６と両球面リング２は、中央のストッパ８と両端のストッパリング１０との間の領域を相対的に摺動することができる。
【００１６】
傾斜ストッパ面１３には、各押輪５における回動中心ｏ方向を向く先端面５ａが当接するようになっており、この当接時において、図２に示すように、継手の最大曲げ角が規制される。
【００１７】
上記実施例の管継手において、ケース１に接続された水道管等のいずれか一方が、地盤沈下等により下方に変位すると、図２に示すように、連結管６と球面リング２とが相対的に摺動して伸縮するとともに、球面リング２がケース１内を回動することにより、連結管６は揺動し、水道管等の変位分を吸収する。
【００１８】
この際、連結管６が最大限まで揺動すると、押輪５の先端面５ａが環状突部１４の傾斜ストッパ１３に当接する。従って、図３に拡大して示すように、押輪５が直接連結管６の外周面に強く当接することはなく、球面リング２と連結管６との間には、摺動に必要な極く僅かの隙間が残存している。
【００１９】
そのため、この状態で水道本管に管軸方向の力が加わると、連結管６は抵抗なく容易に伸縮することができ、管軸方向の力が吸収される。
【００２０】
また、上記実施例では、係止突部１４に垂直ストッパ面１２と傾斜ストッパ面１３を形成して、それらがストッパ８の両側面及び球面リング５の先端面５ａと面当りするようにしてあるため、互いの当接面に作用する面圧が低下し、強度的に有利となる。
【００２１】
従って、係止突部１４を必要以上に大きくする必要はなく、球面リング２の回動量が大きく制限されるのを防止することができる。
【００２２】
【発明の効果】
本発明によれば、押輪が直接連結管と強く圧設するのが防止されるため、連結管の伸縮性が損われる恐れはない。
【００２３】
請求項２の発明によれば、係止突部とストッパ及び球面リングとの当接面に作用する面圧が低下するので、ストッパや係止突部の大きさを最小限とすることができ、従って球面リングの回動量が大きく制限されることはない。
【００２４】
【図面の簡単な説明】
【図１】本発明の一実施例を示す一部切欠正面図である。
【図２】同じく、上下方向に変位した際の要部の縦断正面図である。
【図３】同じく、押輪と係止突部との当接状態を示す要部の拡大縦断面図である。
【図４】従来例を示す一部切欠正面図である。
【符号の説明】
１          ケース
１ａ        フランジ部
２          球面リング
３、７      パッキン
４          突部
５          押輪
５ａ        先端面
６          連結管
８          ストッパ
９          ストッパリング
１０          ボルト
１１          内向環状突部
１２          垂直ストッパ面
１３          傾斜ストッパ面
１４          係止突部
ｏ          回動中心
【図１】
0003771667.tif 000002
【図２】
0003771667.tif 000003
【図３】
0003771667.tif 000004
【図４】
0003771667.tif 000005